(57)【要約】  コミュニティ内の複数の需給家の間で供給された電力の実績を示す電力供給実績を管理する実績管理部と、複数の需給家のうちの第１の需給家から他の需給家への電力供給実績に基づいて、第１の需給家から他の需給家のうちの第２の需給家に電力を供給することに対するインセンティブを導出する導出部とを備える需給管理装置を提供する。
2019171757.tif 000002
【特許請求の範囲】
【請求項１】
コミュニティ内の複数の需給家の間で供給された電力の実績を示す電力供給実績を管理する実績管理部と、
前記複数の需給家のうちの第１の需給家から他の需給家への電力供給実績に基づいて、前記第１の需給家から前記他の需給家のうちの第２の需給家に電力を供給することに対するインセンティブを導出する導出部と
を備える需給管理装置。
【請求項２】
前記導出部は、前記第１の需給家から前記第２の需給家への電力の供給度合いが、前記他の需給家のうちの前記第２の需給家以外の需給家への電力の供給度合いよりも高いほど低いインセンティブを導出する、請求項１に記載の需給管理装置。
【請求項３】
前記導出部は、前記第１の需給家から前記第２の需給家に電力を供給することに対するインセンティブを、前記第１の需給家から前記第２の需給家への電力の供給度合いの逆比に基づいて導出する、請求項２に記載の需給管理装置。
【請求項４】
前記導出部は、前記第１の需給家から前記第２の需給家への電力の供給回数が、前記他の需給家のうちの前記第２の需給家以外の需給家への電力の供給回数よりも多いほど低いインセンティブを導出する、請求項２又は３に記載の需給管理装置。
【請求項５】
前記導出部は、前記第１の需給家から前記第２の需給家への電力の供給量が、前記他の需給家のうちの前記第２の需給家以外の需給家への電力の供給量よりも多いほど低いインセンティブを導出する、請求項２又は３に記載の需給管理装置。
【請求項６】
前記実績管理部は、前記複数の需給家の間で行われるデマンドレスポンスの応答率を管理し、
前記導出部は、前記応答率にさらに基づいて、前記インセンティブを導出する、請求項１から５のいずれか一項に記載の需給管理装置。
【請求項７】
前記複数の需給家のそれぞれに対応するインセンティブを管理する管理部と、
前記導出部によって導出されたインセンティブによって、前記第１の需給家に対応するインセンティブを更新する更新部と
をさらに備える、請求項１から６のいずれか一項に記載の需給管理装置。
【請求項８】
前記インセンティブは非金銭である、請求項１から７のいずれか一項に記載の需給管理装置。
【請求項９】
前記インセンティブは、前記コミュニティ内の共有物を使用するためのポイントである、請求項８に記載の需給管理装置。
【請求項１０】
前記コミュニティは、オフグリッドＣＥＭＳである、請求項１から９のいずれか一項に記載の需給管理装置。
【請求項１１】
前記複数の需給家のそれぞれは、発電機器を有し、
前記実績管理部は、前記複数の需給家の間で、それぞれの発電機器によって発電されて供給された電力の実績を示す前記電力供給実績を管理する、請求項１から１０のいずれか一項に記載の需給管理装置。
【請求項１２】
コンピュータを、請求項１から１１のいずれか一項に記載の需給管理装置として機能させるためのプログラム。
【請求項１３】
コミュニティ内の複数の需給家の間で供給された電力の実績を示す電力供給実績を取得するステップと、
前記複数の需給家のうちの第１の需給家から他の需給家への電力供給実績に基づいて、前記第１の需給家から前記他の需給家のうちの第２の需給家に電力を供給することに対するインセンティブを導出する導出ステップと
を備える需給管理方法。
【発明の詳細な説明】
【技術分野】
【０００１】
本発明は、需給管理装置、プログラム、及び需給管理方法に関する。
【背景技術】
【０００２】
供給先同士でエネルギーを融通できるエネルギー配給制御システムが知られていた（例えば、特許文献１参照）。また、配分電力量に不公平がある場合に、その不公平が一定期間内で解消されるようにする太陽光発電システムが知られていた。
［先行技術文献］
［特許文献］
［特許文献１］特開２０１４−２３３１３３号公報
［特許文献２］特開２００３−１３４６７２号公報
【解決しようとする課題】
【０００３】
オフグリッドＣＥＭＳ（Ｃｏｍｍｕｎｉｔｙ  Ｅｎｅｒｇｙ  Ｍａｎａｇｅｍｅｎｔ  Ｓｙｓｔｅｍ）では、電力系統からコミュニティ全体の電力が切り離されているため、コミュニティ内で電力消費を賄う必要がある。電力系統から切り離されていないＣＥＭＳであっても、コミュニティを構成する各家庭の電力消費状況に応じて、コミュニティ内で電力を融通することが望ましい。コミュニティを構成する各家庭には、再生エネルギーによる電力需給装置等があり、家庭によって需給バランスは異なると想定される。よって、ある特定の家庭では電力が余り、ある特定の家庭では電力が不足するという事態が考えられるが、その際、ある特定の家庭からある特定の家庭へ電力の需給が集中し、同一コミュニティ内の他の需要のある家庭へ供給されない可能性がある。
【一般的開示】
【０００４】
本発明の第１の態様によれば、需給管理装置が提供される。需給管理装置は、コミュニティ内の複数の需給家の間で供給された電力の実績を示す電力供給実績を管理する実績管理部を備えてよい。需給管理装置は、複数の需給家のうちの第１の需給家から他の需給家への電力供給実績に基づいて、第１の需給家から他の需給家のうちの第２の需給家に電力を供給することに対するインセンティブを導出する導出部を備えてよい。
【０００５】
上記導出部は、上記第１の需給家から上記第２の需給家への電力の供給度合いが、上記他の需給家のうちの上記第２の需給家以外の需給家への電力の供給度合いよりも高いほど低いインセンティブを導出してよい。上記導出部は、上記第１の需給家から上記第２の需給家に電力を供給することに対するインセンティブを、上記第１の需給家から上記第２の需給家への電力の供給度合いの逆比に基づいて導出してよい。
【０００６】
上記導出部は、上記第１の需給家から上記第２の需給家への電力の供給回数が、上記他の需給家のうちの上記第２の需給家以外の需給家への電力の供給回数よりも多いほど低いインセンティブを導出してよい。上記導出部は、上記第１の需給家から上記第２の需給家への電力の供給量が、上記他の需給家のうちの上記第２の需給家以外の需給家への電力の供給量よりも多いほど低いインセンティブを導出してよい。
【０００７】
上記実績管理部は、上記複数の需給家の間で行われるデマンドレスポンスの応答率を管理してよく、上記導出部は、上記応答率にさらに基づいて、上記インセンティブを導出してよい。上記需給管理装置は、上記複数の需給家のそれぞれに対応するインセンティブを管理する管理部と、上記導出部によって導出されたインセンティブによって、上記第１の需給家に対応するインセンティブを更新する更新部とをさらに備えてよい。上記インセンティブは非金銭であってよい。
【０００８】
本発明の第２の態様によれば、コンピュータを、上記需給管理装置として機能させるためのプログラムが提供される。
【０００９】
本発明の第３の態様によれば、需給管理方法が提供される。需給管理方法は、コミュニティ内の複数の需給家の間で供給された電力の実績を示す電力供給実績を取得するステップを備えてよい。需給管理方法は、上記複数の需給家のうちの第１の需給家から他の需給家への電力供給実績に基づいて、上記第１の需給家から上記他の需給家のうちの第２の需給家に電力を供給することに対するインセンティブを導出する導出ステップを備えてよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】コミュニティ１０の一例を概略的に示す。
【図２】運用管理サーバー１００が管理する管理テーブル２２の一例を概略的に示す。
【図３】需給家２００による他の需給家に対する電力の供給実績の一例を概略的に示す。
【図４】運用管理サーバー１００がＡ邸の電力供給実績を管理する場合に用いる管理テーブル７００の一例を概略的に示す。
【図５】需給家３００の構成の一例を概略的に示す。
【図６】ユーザー端末２５０による表示例２５１概略的に示す。
【図７】運用管理サーバー１００の機能構成の一例を概略的に示す。
【図８】運用管理サーバー１００として機能するコンピュータ１０００のハードウエア構成の一例を概略的に示す。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１３】
図１は、コミュニティ１０の一例を概略的に示す。図１に例示するコミュニティ１０は、需給家２００、需給家３００、需給家４００、需給家５００、需給家６００、共有バッテリ２０、及び運用管理サーバー１００を含む。需給家２００、需給家３００、需給家４００、需給家５００、及び需給家６００を、それぞれＡ邸、Ｂ邸、Ｃ邸、Ｄ邸、Ｅ邸と記載する場合がある。また、需給家２００、需給家３００、需給家４００、需給家５００、及び需給家６００を、まとめてコミュニティ１０の需給家と記載する場合がある。コミュニティ１０の需給家と運用管理サーバー１００とは通信網を介して接続されているが、図１では通信網の図示を省略している。
【００１４】
ここでは、コミュニティ１０が電力系統から切り離されている場合を例に挙げて説明する。コミュニティ１０は、例えば、常に電力系統から切り離されている。すなわち、コミュニティ１０は、いわゆるオフグリッドＣＥＭＳのようなコミュニティであってよい。また、コミュニティ１０は、通常は電力系統に接続されているところ、一時的に電力系統から切り離されている状況であってもよい。
【００１５】
コミュニティ１０の需給家は、発電機器及びバッテリを有する。需給家は、発電機器によって発電された電力をバッテリに蓄積する。需給家の住人は、発電機器によって発電された電力及びバッテリに蓄積されている電力を生活の中で用いる。
【００１６】
需給家は、発電機器によって発電された電力及びバッテリに蓄積されている電力を共有バッテリ２０に送電可能である。需給家は、共有バッテリ２０を、バックアップとして利用可能である。例えば、需給家の住民は、需給家における電力が余剰している場合に電力を共有バッテリ２０に送電し、電力が不足する場合に共有バッテリ２０から電力を受電する。
【００１７】
運用管理サーバー１００は、コミュニティ１０内の電力の需給を管理する。運用管理サーバー１００は、共有バッテリ２０が蓄積している電力について、コミュニティ１０の需給家のそれぞれの持ち分を管理してよい。例えば、運用管理サーバー１００は、需給家から共有バッテリ２０に電力が送電された場合に、送電した需給家及び送電量を記録する。そして、運用管理サーバー１００は、共有バッテリ２０に蓄積されている電力の総電力量と、総電力量のうち各需給家が送電した電力量とを管理する。
【００１８】
図２は、運用管理サーバー１００が管理する管理テーブル２２の一例を概略的に示す。図２では、運用管理サーバー１００が、管理テーブル２２を用いて、共有バッテリ２０に蓄積されている電力の総電力量と、各需給家の電力量とを管理する例を示すが、管理方法はこれに限らない。運用管理サーバー１００は、例えば、共有バッテリ２０に蓄積されている電力の総電力量と、各需給家の持ち分の割合とを管理してもよい。
【００１９】
運用管理サーバー１００は、通信網を介して、各需給家から電力の送電要求を受信する。送電要求は、需給家を識別する識別情報と、希望する送電量とを含んでよい。運用管理サーバー１００は、送電要求を受信した場合、共有バッテリ２０の電力のうち、識別情報によって識別される需給家の持ち分と、希望する送電量とを比較し、持ち分が希望する送電量よりも多い場合、希望する送電量を当該需給家に送電する。そして、運用管理サーバー１００は、当該需給家に送電した分の電力量を、総電力量及び当該需給家の持ち分から減算すべく管理テーブル２２を更新する。運用管理サーバー１００は、持ち分が希望する送電量よりも少ない場合、送電を拒否する。
【００２０】
本実施形態において、各需給家は、共有バッテリ２０に蓄積されている自らの持ち分に相当する電力を、他の需給家に対して供給可能である。例えば、Ａ邸は、共有バッテリ２０に蓄積されている２５ｋｗｈのうち、一部又は全部をＢ邸に供給可能である。具体例として、Ａ邸の住民が、Ｂ邸に対して１０ｋｗｈの電力を供給することを許可した場合、運用管理サーバー１００は、Ｂ邸の住民からの要求に応じて、Ａ邸の持ち分のうちの１０ｋｗｈの一部又は全部をＢ邸に送電する。
【００２１】
ここで、例えば、Ａ邸は常時電力に余裕があり、Ｂ邸及びＥ邸は常時電力が不足気味であり、Ａ邸の住民とＢ邸の住民が懇意であり、Ａ邸とＥ邸の住民が懇意ではない場合において、Ａ邸からＢ邸にばかり電力が供給され、Ａ邸からＥ邸に電力が供給されないと、Ｅ邸の電力不足がなかなか解消されない事態が発生し得る。本実施形態に係る運用管理サーバー１００は、コミュニティ１０内の需給家の間で供給された電力の実績を示す電力供給実績を管理し、一の需給家が他のいずれかの需給家に電力を供給することに対するインセンティブを、当該一の需給家から他の需給家への電力供給実績に基づいて当該一の需給家に与える。運用管理サーバー１００は、需給管理装置の一例であってよい。
【００２２】
例えば、運用管理サーバー１００は、Ａ邸からＢ邸への電力の供給回数が、Ａ邸から他の需給家への電力の供給回数よりも多いほど、Ａ邸からＢ邸に電力を供給することに対するインセンティブを低くする。これにより、例えば、Ａ邸からＢ邸への電力の供給回数が、Ａ邸からＥ邸への電力の供給回数よりも多いほど、Ａ邸からＢ邸に電力を供給することに対するインセンティブが低くなる。逆に言えば、Ａ邸からＥ邸への電力の供給回数が、Ａ邸からＢ邸への電力の供給回数よりも少ないほど、Ａ邸からＥ邸に電力を供給することに対するインセンティブが高くなる。これにより、Ａ邸からＢ邸にばかり電力が供給され、Ｅ邸に電力が供給されない事態の発生を抑止することができ、その結果、Ｅ邸の電力不足がなかなか解消されないという事態の発生を抑止することができる。
【００２３】
インセンティブとしては、任意のものを採用できる。インセンティブは、非金銭であってよい。例えば、インセンティブはコミュニティ１０内の共有物を使用するためのポイントであってよい。共有物は、物品等であってよく、また、共有エネルギー等であってもよい。例えば、インセンティブは、コミュニティ１０が有する共有の発電機器によって発電された電力によって充電可能な共有充電スポットを使用するためのポイントである。
【００２４】
インセンティブを実現するための財源としては、コミュニティ１０の自治会費等が挙げられる。コミュニティ１０の管理者等は、自治会費によってインセンティブをコントロールすることにより、コミュニティ１０内の一部の需給家が電力不足になってしまうことを防止できる。なお、インセンティブは金銭であってもよい。
【００２５】
図３は、需給家２００による他の需給家に対する電力の供給実績の一例を概略的に示す。図３では、矢印の太さが太い程、電力の供給度合いが大きいことを示す。図３に示す例では、Ａ邸からＢ邸への供給度合いが最も大きく、Ａ邸からＣ邸への供給度合い及びＡ邸からＤ邸への供給度合いがその次に大きく、Ａ邸からＥ邸への供給度合いが最も小さい。電力の供給度合いは、例えば、電力の供給回数である。また、電力の供給度合いは、例えば、電力の供給量である。
【００２６】
運用管理サーバー１００は、Ａ邸による他の需給家に対する電力供給実績が図３に示す状況である場合、次にＡ邸が他の需給家に電力を供給することに対するインセンティブについて、Ａ邸からＥ邸に供給する場合を最も高くし、Ａ邸からＣ邸に供給する場合及びＡ邸からＤ邸に供給する場合をその次に高くし、Ａ邸からＢ邸に供給する場合を最も低くする。
【００２７】
図４は、運用管理サーバー１００がＡ邸の電力供給実績を管理する場合に用いる管理テーブル７００の一例を概略的に示す。図４に示す管理テーブル７００は、Ａ邸から他の需給家に電力を供給した回数と、Ａ邸から他の需給家に電力を供給することに対するインセンティブとを含む。
【００２８】
図４では、Ａ邸からＢ邸への電力供給回数が１０回、Ｃ邸への電力供給回数及びＤ邸への電力供給回数が５回、Ｅ邸への電力供給回数が１回である場合を例示する。また、Ａ邸からＢ邸へ電力を供給することに対するインセンティブが１、Ａ邸からＣ邸へ電力を供給することに対するインセンティブが５、Ａ邸からＤ邸へ電力を供給することに対するインセンティブが５、Ａ邸からＥ邸へ電力を供給することに対するインセンティブが１である場合を例示する。図４に示すように、運用管理サーバー１００は、電力供給回数の逆比によって、インセンティブを導出してよい。
【００２９】
図５は、需給家２００の構成の一例を概略的に示す。図５に示す例では、需給家２００は、スマートメーター２０２を介して共有バッテリ２０と接続されている。また、需給家２００は、スマートメーター２０２を介して通信網５０と接続されている。通信網５０は、インターネット、携帯電話網、及びＬＡＮ（Ｌｏｃａｌ  Ａｒｅａ  Ｎｅｔｗｏｒｋ）等の専用網の少なくともいずれかを含んでよい。
【００３０】
スマートメーター２０２は、需給家２００の電力需給状況を管理する。スマートメーター２０２は、需給家２００が共有バッテリ２０に送電した電力を管理してよい。スマートメーター２０２は、需給家２００が共有バッテリ２０から受電した電力を管理してよい。スマートメーター２０２は、需給家２００と他の需給家との間で行われるデマンドレスポンスを管理してもよい。スマートメーター２０２は、例えば、需給家２００と他の需給家との間で行われるデマンドレスポンスの応答率を管理する。スマートメーター２０２は、需給家２００の電力需給状況を、通信網５０を介して運用管理サーバー１００に送信してよい。
【００３１】
需給家２００は、発電機器２１０、バッテリ２２０、電力管理部２３０、送受電部２４０、及びユーザー端末２５０を有する。発電機器２１０は、例えば、自然エネルギーを利用して発電する。発電機器２１０は、例えば、太陽光発電機器、風力発電機器、及び水力発電機器等である。バッテリ２２０は、発電機器２１０によって発電された電力を蓄積する。
【００３２】
電力管理部２３０は、需給家２００の電力を管理する。電力管理部２３０は、発電機器２１０によって発電された電力を管理してよい。電力管理部２３０は、バッテリ２２０に蓄積されている電力を管理してよい。
【００３３】
送受電部２４０は、バッテリ２２０に蓄積されている電力を外部に送電する。送受電部２４０は、例えば、バッテリ２２０に蓄積されている電力を共有バッテリ２０に送電する。また、送受電部２４０は、外部から電力を受電する。送受電部２４０は、例えば、共有バッテリ２０から電力を受電して、バッテリ２２０に蓄積する。電力管理部２３０は、送受電部２４０によって送受電された電力を管理してよい。
【００３４】
ユーザー端末２５０は、各種の電力制御を行う。例えば、ユーザー端末２５０は、需給家２００の住人の指示に応じて、送受電部２４０に、バッテリ２２０に蓄積されている電力を共有バッテリ２０に対して送電させる。また、例えば、ユーザー端末２５０は、需給家２００の住人の指示に応じて、運用管理サーバー１００に対して、共有バッテリ２０の電力を需給家２００に対して送電することを要求する送電要求を送信する。また、例えば、ユーザー端末２５０は、需給家２００の住人の指示に応じて、運用管理サーバー１００に対して、共有バッテリ２０の電力を他の需給家に対して供給する指示を送信する。
【００３５】
ユーザー端末２５０は、需給家２００内に設置されているＰＣ（Ｐｅｒｓｏｎａｌ  Ｃｏｍｐｕｔｅｒ）等であってよい。また、ユーザー端末２５０は、需給家２００の住民が所持する携帯電話及びタブレット端末等のモバイル端末であってもよい。
【００３６】
需給家３００、需給家４００、需給家５００、及び需給家６００は、需給家２００と同様の構成を有してよい。
【００３７】
図６は、ユーザー端末２５０による表示例２５１を概略的に示す。ユーザー端末２５０は、運用管理サーバー１００から表示データを受信して、当該表示データに従って表示例２５１に示すような表示を行う。
【００３８】
図６に示す表示例２５１は、保有電力量２５２、保有インセンティブ２５４、及び供給情報２５６を含む。保有電力量２５２は、需給家２００が保有する電力量を示す。需給家２００が保有する電力量とは、共有バッテリ２０に蓄積されている電力のうち、需給家２００の持分に相当する電力量を示す。保有インセンティブ２５４は、需給家２００が保有するインセンティブを示す。
【００３９】
供給情報２５６は、その時点における電力の供給価格を含む。供給価格は、例えば、単位電力量当たりの金額を示す。また、供給情報２５６は、その時点においてＡ邸に対して電力の供給を要求している需給家、希望する電力量、及び電力を供給した場合にＡ邸に対して付与されるインセンティブを含む。図６に示す例では、Ｂ邸、Ｄ邸、及びＥ邸がＡ邸に対して電力を要求しており、それぞれの希望する電力量が１０ｋｗｈであり、Ｂ邸に電力を供給した場合のインセンティブが１、Ｃ邸に電力を供給した場合のインセンティブが５、Ｅ邸に電力を供給したい場合のインセンティブが１０であることを示す。
【００４０】
Ａ邸の住人は、例えば、供給情報２５６のうちのＥ邸を選択することによって、Ｅ邸に対する電力の供給を許可する。ユーザー端末２５０は、Ｅ邸が選択されたことを、運用管理サーバー１００に通知する。運用管理サーバー１００は、通知に従って、共有バッテリ２０に蓄積されている電力中のＡ邸の持ち分のうち１０ｋｗｈを、Ｅ邸に供給可能な電力量として管理する。
【００４１】
図７は、運用管理サーバー１００の機能構成の一例を概略的に示す。運用管理サーバー１００は、電力情報受信部１０２、ユーザー情報受信部１０４、実績管理部１０６、導出部１０８、管理部１１０、及び更新部１１２を備える。
【００４２】
電力情報受信部１０２は、コミュニティ１０の需給家の電力情報を受信する。電力情報受信部１０２は、例えば、需給家２００のスマートメーター２０２から、需給家２００の電力需給状況を示す電力情報を受信する。また、電力情報受信部１０２は、同様に、需給家３００のスマートメーター３０２、需給家４００のスマートメーター４０２、需給家５００のスマートメーター５０２、需給家６００のスマートメーター６０２から、需給家３００の電力需給状況を示す電力情報、需給家４００の電力需給状況を示す電力情報、需給家５００の電力需給状況を示す電力情報、需給家６００の電力需給状況を示す電力情報を受信する。
【００４３】
ユーザー情報受信部１０４は、コミュニティ１０の需給家の住人等のユーザーのユーザー情報を受信する。ユーザー情報は、ユーザーを特定可能な情報であってよい。例えば、ユーザー情報は、ユーザーの氏名及び住所等を含む。ユーザー情報は、ユーザーを識別可能な識別番号を含んでもよい。ユーザー情報受信部１０４は、例えば、複数のユーザーのユーザー情報を管理するユーザー情報管理サーバー８００から、ユーザー情報を受信する。
【００４４】
実績管理部１０６は、コミュニティ１０内の複数の需給家の間で供給された電力の実績を示す電力供給実績を管理する。実績管理部１０６は、電力情報受信部１０２が受信した電力情報によって、電力供給実績を管理してよい。
【００４５】
導出部１０８は、実績管理部１０６によって管理されている電力供給実績に基づいて、コミュニティ１０内の複数の需給家の間で電力を供給することに対するインセンティブを導出する。導出部１０８は、実績管理部１０６によって管理されている電力供給実績を取得するステップと、複数の需給家のうちの第１の需給家から他の需給家への電力供給実績に基づいて、第１の需給家から他の需給家のうちの第２の需給家に電力を供給することに対するインセンティブを導出するステップとを含む需給管理方法を実行してよい。
【００４６】
導出部１０８は、例えば、複数の需給家のうちの第１の需給家から第２の需給家への電力の供給度合いが、第１の需給家から複数の需給家のうちの他の需給家への電力の供給度合いよりも高いほど低いインセンティブを導出する。具体例として、導出部１０８は、第１の需給家から第２の需給家に電力を供給することに対するインセンティブを、第１の需給家から第２の需給家への電力の供給度合いの逆比に基づいて導出してよい。
【００４７】
電力の供給度合いは、例えば、電力の供給回数である。導出部１０８は、第１の需給家から第２の需給家への電力の供給回数が、第１の需給家から他の需給家への電力の供給回数よりも多いほど低いインセンティブを導出してよい。
【００４８】
電力の供給度合いは、例えば、電力の供給量である。導出部１０８は、第１の需給家から第２の需給家への電力の供給量が、第１の需給家から他の需給家への電力の供給量よりも多いほど低いインセンティブを導出してよい。
【００４９】
導出部１０８は、実績管理部１０６が管理する複数の需給家の間で行われるデマンドレスポンスの応答率にさらに基づいて、インセンティブを導出してもよい。例えば、導出部１０８は、電力の供給度合いに基づいて導出したインセンティブに対して、デマンドレスポンスの応答率が高いほどより高くなるようにインセンティブを導出する。
【００５０】
管理部１１０は、コミュニティ１０の需給家のそれぞれに対応するインセンティブを管理する。管理部１１０は、需給家からの要求に応じて、当該需給家に対応するインセンティブを通知する通知データを送信してよい。需給家の住人は、通知データを閲覧することによって、保有インセンティブを確認できる。
【００５１】
更新部１１２は、コミュニティ１０の需給家の間で電力が供給された場合に、導出部１０８によって導出されたインセンティブによって、管理部１１０が管理している当該需給家のインセンティブを更新する。
【００５２】
図８は、運用管理サーバー１００として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、及び入出力チップ１０８０を有する入出力部を備える。
【００５３】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ上に表示させる。これに代えて、グラフィックコントローラ１０８５は、ＣＰＵ１０１０などが生成する画像データを格納するフレーム・バッファを、内部に含んでもよい。
【００５４】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。
【００５５】
ＲＯＭ１０２０は、コンピュータ１０００が起動時に実行するブート・プログラム及びコンピュータ１０００のハードウエアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００５６】
ＲＡＭ１０３０を介してハードディスクドライブ１０５０に提供されるプログラムは、ＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００５７】
コンピュータ１０００にインストールされ、コンピュータ１０００を運用管理サーバー１００として機能させるプログラムは、ＣＰＵ１０１０などに働きかけて、コンピュータ１０００を、運用管理サーバー１００の各部としてそれぞれ機能させてよい。これらのプログラムに記述された情報処理は、コンピュータ１０００に読込まれることにより、ソフトウエアと上述した各種のハードウエア資源とが協働した具体的手段である電力情報受信部１０２、ユーザー情報受信部１０４、実績管理部１０６、導出部１０８、管理部１１０、及び更新部１１２として機能する。そして、これらの具体的手段によって、本実施形態におけるコンピュータ１０００の使用目的に応じた情報の演算又は加工を実現することにより、使用目的に応じた特有の運用管理サーバー１００が構築される。
【００５８】
上記実施形態では、コミュニティ１０が電力系統から切り離されている例を挙げて説明したが、コミュニティ１０は電力系統から切り離されていなくてもよい。この場合、需給家２００の送受電部２４０は、バッテリ２２０に蓄積されている電力を電力系統に送電してよい。また、送受電部２４０は、電力系統から電力を受電してバッテリ２２０に蓄積してよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００６０】
請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、および図面中の動作フローに関して、便宜上「まず、」、「次に、」などを用いて説明したとしても、この順で実施することが必須であることを意味するものではない。
【符号の説明】
【００６１】
１０  コミュニティ、２０  共有バッテリ、２２  管理テーブル、５０  通信網、１００  運用管理サーバー、１０２  電力情報受信部、１０４  ユーザー情報受信部、１０６  実績管理部、１０８  導出部、１１０  管理部、１１２  更新部、２００  需給家、２０２  スマートメーター、２１０  発電機器、２２０  バッテリ、２３０  電力管理部、２４０  送受電部、２５０  ユーザー端末、２５１  表示例、２５２  保有電力量、２５４  保有インセンティブ、２５６  供給情報、３００  需給家、３０２  スマートメーター、４００  需給家、４０２  スマートメーター、５００  需給家、５０２  スマートメーター、６００  需給家、６０２  スマートメーター、７００  管理テーブル、８００  ユーザー情報管理サーバー、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０８０  入出力チップ、１０８５  グラフィックコントローラ、１０９２  ホストコントローラ、１０９４  入出力コントローラ
【図１】
2019171757.tif 000003
【図２】
2019171757.tif 000004
【図３】
2019171757.tif 000005
【図４】
2019171757.tif 000006
【図５】
2019171757.tif 000007
【図６】
2019171757.tif 000008
【図７】
2019171757.tif 000009
【図８】
2019171757.tif 000010
【国際調査報告】
2019171757.tif 000011
2019171757.tif 000012